(57)【要約】【課題】シートを均一な張力でもって平板状に、かつ容易に張設することができるようにする。【解決手段】  少なくとも天地方向に互いに平行に設けた枠部材１ａ、１ｂのそれぞれにこれの長さ方向にわたるシート固定装置２を設け、このシート固定装置が、幅方向一方の端面に板厚方向に凹凸にしたシート挟持部を設け、このシート挟持部を天地方向外側へ向けて枠部材に固定した固定シート座３と、固定シート座より天地方向外側に位置し、先端部に上記固定シート座のシート挟持部に天地方向に係合するシート挟持部を設けた可動シート座８を、この可動シート座のシート挟持部が固定シート座のシート挟持部に天地方向から自己保持可能に係合するようにして枠部材に支持したシート押え部材５とからなる構成とした。【選択図】図２
2006119535.tif 000002
【特許請求の範囲】
【請求項１】
少なくとも天地方向に互いに平行に設けた枠部材のそれぞれにこれの長さ方向にわたるシート固定装置を設け、
このシート固定装置が、
幅方向一方の端面に板厚方向に凹凸にしたシート挟持部を設け、このシート挟持部を天地方向外側へ向けて枠部材に固定した固定シート座と、
固定シート座より天地方向外側に位置し、先端部に上記固定シート座のシート挟持部に天地方向に係合するシート挟持部を設けた可動シート座を、この可動シート座のシート挟持部が固定シート座のシート挟持部に天地方向から自己保持可能に係合するようにして枠部材に支持したシート押え部材とからなる
ことを特徴とするシート張設治具。
【請求項２】
シート押え部材の可動シート座を、上下方向と天地方向に移動可能にしたことを特徴とする請求項１記載のシート張設治具。
【請求項３】
シート押え部材の可動シート座を、一端を枠部材に回動可能に連結した連結部材の先端に回動可能に連結し、可動シート座と連結部材との回動部におけるトグル作用にて固定シート座に対する可動シート座の係合が自己保持されるようにしたことを特徴とする請求項１または請求項２記載のシート張設治具。
【請求項４】
シート押え部材の可動シート座を、固定シート座との係合状態方向にばね付勢したことを特徴とする請求項１または請求項２記載のシート張設治具。
【請求項５】
シート押え部材の可動シート座を、この可動シート座のシート挟持部が固定シート座のシート挟持部に係合した状態で枠部材側に設けたばね部材で係脱可能に保持したことを特徴とする請求項１または請求項２記載のシート張設治具。
【発明の詳細な説明】
【技術分野】
【０００１】
本発明は、広告、ポスターなどのパネルに用いるシート、各種商品の生産工程にて描画用として用いられる生地等のシート、さらに塗料、電子材料などの塗布材を塗布して用いるシートのそれぞれの表面に上記各種の加工を施す際に用いられ、上記シートを方形等の枠部材に平らに張設可能にしたシート張設治具に関するものである。
【背景技術】
【０００２】
可撓性に富んだシートを平らに張設するための手段としては、縁部材の外周面に溝を有する方形枠上に、この枠より大きくしたシートを載置し、これの周縁を枠の周囲に沿わせ、この部分を押圧部材にて縁部材の溝内に押し込み固定することにより、枠上においてシートが所定の張力が与えられた状態で平らに張設されるようになっている（例えば、特許文献１参照）。
【０００３】
【特許文献１】特開平５−１９７３４０号公報
【発明の開示】
【発明が解決しようとする課題】
【０００４】
上記した従来の技術では、シートの周縁を枠の縁部材に押圧部材にて固定するのにねじを用いているため工具を必要とし、シートの取り付け、取り外しに時間を要して作業効率が悪いという問題があった。
【０００５】
また、シートの縁部を縁部材の溝内に押し込む際にシートの張力分布に不均一な部分が発生しやすく、一般的な看板などの場合は問題ないが、張設するシートによっては張力分布の不均一によりシート表面に波打ちが発生して平面性が損なわれる問題が出る場合がある。
【０００６】
さらに、枠体フレームとシート押圧部材が分離構造であることにより、方形枠にシートを張設する工程を自動化しようとしたときに、上記したように押圧部材や、これを固定するねじ等の枠体フレームに対して分離された部材の供給装着、離脱の各工程が必要になり、この種の自動化装置は極めて複雑になるという問題がある。
【０００７】
本発明は上記のことに鑑みなされたもので、可撓性に富んだシートを天地方向に対向する枠部材に均一な張力でもって平板状に張設できると共に、この枠部材に対する張設及び離脱を容易に行うことができるようにしたシート張設治具を提供することを目的とするものである。
【課題を解決するための手段】
【０００８】
上記目的を達成するために、本発明に係るシート張設治具は、少なくとも天地方向に互いに平行に設けた枠部材のそれぞれにこれの長さ方向にわたるシート固定装置を設け、このシート固定装置が、幅方向一方の端面に板厚方向に凹凸にしたシート挟持部を設け、このシート挟持部を天地方向外側へ向けて枠部材に固定した固定シート座と、固定シート座より天地方向外側に位置し、先端部に上記固定シート座のシート挟持部に天地方向に係合するシート挟持部を設けた可動シート座を、この可動シート座のシート挟持部が固定シート座のシート挟持部に天地方向から自己保持可能に係合するようにして枠部材に支持したシート押え部材とから構成されている。
【０００９】
そして上記構成のシート張設装置において、シート押え部材の可動シート座を、上下方向と天地方向に移動可能にし、またシート押え部材の可動シート座を、一端を枠部材に回動可能に連結した連結部材の先端に回動可能に連結し、可動シート座と連結部材との回動部におけるトグル作用にて固定シート座に対する可動シート座の係合が自己保持されるようにし、またシート押え部材の可動シート座を、固定シート座との係合状態方向にばね付勢し、さらにシート押え部材の可動シート座を、この可動シート座のシート挟持部が固定シート座のシート挟持部に係合した状態で枠部材側に設けたばね部材で係脱可能に保持した構成になっている。
【発明の効果】
【００１０】
本発明によれば、シートをこれの張設時に弛みが発生することなく、強固に確実に固定できると共に、これの全幅にわたって均一な張力で平らに張設することができる。
【００１１】
また本発明によれば、シート固定装置のシート押え部材が、これの可動シート座を自己保持可能にして固定シート座に対して天地方向に係合するようにしたことにより、工具などを必要とすることなしにシートの取り付け、取り外しが容易に行うことができ、シート張設治具として良好な作業性でもって繰り返し使用することができる。
【００１２】
さらにシート固定装置を設ける枠部材は、これの厚み方向のサイズを小さくすることができ、治具としての重量を小さくできると共に取り扱いを容易にすることができる。
【発明を実施するための最良の形態】
【００１３】
図１はシート張設治具の全体を示す平面図であり、図中１は左右の枠部材１ａ，１ｂと前後の枠部材１ｃ，１ｄからなる方形の枠本体で、これの左右の枠部材１ａ，１ｂに、同一構成のシート固定装置２，２が左右で対向させて備えられている。このシート固定装置２，２は、枠部１ａ，１ｂに張設する後述のシート１２の全幅に亘る長さになっている。
【００１４】
図２はこのシート固定装置２の第１の実施例を示す。なお上記したようにこのシート固定装置２は左右で同一構成となっているので、右側の枠部材１ｂにおいてのシート固定装置２について説明する。
【００１５】
枠部材１ｂの内側端部の上面の長手方向にわたって固定シート座３がビス等により固定されている。なおこれを固定するビス等の頭部は固定シート座３の上面に突出しないようになっていて、シート座３の上面は平面状になっている。そしてこのシート座３の幅方向の外側端縁に下側へ向いた斜面３ａが形成されていて、この斜面３ａと枠部材１ｂの上面との間でくさび状の空間が形成されている。なお、この場合の前後の枠部材１ｃ，１ｄの上面は、上記シート固定装置２の固定シート座３の上面と同一平面状になっている。
【００１６】
枠部材１ｂの上記固定シート座３を固定した位置より外側部に凹段部４が長手方向に設けてあり、この凹段部４内にシート押え部材５の基部が上記固定シート座３側へ向けて回動可能に支持されている。
【００１７】
シート押え部材５は、第１の蝶番６ａにて凹段部４に上下方向に回動可能に連結した連結板（連結部材）７と、この連結板７の先端に第２の蝶番６ｂにて、連結板７に対して下側へ回動可能に連結した可動シート座８とからなっている。
【００１８】
可動シート座８は上記固定シート座３の長さと同じ長さになっていて、これの幅方向の先端縁に、上記固定シート座３の斜面３ａと同じ角度で上側へ向いた斜面８ａが形成されており、シート押え部材５を下側回動したときに、この可動シート座８の先端縁の斜面８ａが固定シート座３の斜面３ａにて形成されるくさび状空間内に係合されるようになっている。また可動シート座８は、この下側へ回動した状態での下面が枠部材１ｂの上面に当接した状態で上面が固定シート座３の上面と同一面となるようになっている。そしてこの状態での連結板７及び蝶番６ａ，６ｂは固定シート座３の上面より低くなるように凹段部４の深さがとられている。また、この可動シート座８が固定シート座３の上面と同一面となる状態で第１と第２の蝶番６ａ，６ｂの回動中心が固定シート座３の上面と平行平面上に位置されてトグル作用にてこの状態が維持されるようになっている。
【００１９】
可動シート座８は第２蝶番６ｂにより連結板７に対して下側へ回動するが、連結板７の先端部にストッパ９が設けてあり、このストッパ９に可動シート座８の基部が当接することにより、この可動シート座８の回動範囲が規制されるようになっている。
【００２０】
また、シート押え部材５の下側には、枠部材１ｂに設けた穴１０より出没する突き上げ部材１１が設けてあり、この突き上げ部材１１を突出することによりシート押え部材５が上方へ回動すると共に、その状態が保持されるようになっている。
【００２１】
上記構成のシート張設治具を用いたシートの張設工程を図３から図７を参照して以下に説明する。なおこの説明において、シートはシート張設治具の左側から右方向に繰り出すようにし、この繰り出し方向下流側を天側、上流側を地側という。
【００２２】
（第１工程）
シート張設治具Ａの地側において、連続状のシート１２の天側先端部分で、かつ天側へ挟持分だけ残した部分を吸着保持具１３にて吸着保持する（図３）。
【００２３】
（第２工程）
シート１２を吸着保持した状態の吸着保持具１３をシート張設治具Ａの上面に沿わせて天側の固定シート座３の上面に対向する位置まで移動し、ついで下動して固定シート座３の上面にシート１２を押さえ付ける。このとき、吸着保持具１３の天側端が固定シート座３の天側端と略同一になるようにする。
【００２４】
（第３工程）
天側の突き上げ部材１１を突き上げて天側のシート固定装置２のシート押え部材５を上方へ回動して、このシート押え部材５の可動シート座８を吸着保持具１３にて押さえ付けられたシート１２の天側端部の上側に位置する（図４）。
【００２５】
ついで、突き上げ部材１１を没入して天側のシート押え部材５を下側へ回動する。このときシート押え部材５の可動シート座８は連結材７に対して下側へ少し折り曲げ状態となって下方へ回動し、これの先端部が吸着保持具１３より天側へ出ているシート１２を押さえながら枠部材１ｂの上面に当接し、その後両部材が枠部材１ｂの上面に沿う水平状になる。これによりシート押え部材５は上記折り曲げ状態より長くなって可動シート座８がトグル作用により地側へ移動し、可動シート座８の先端が固定シート座３のくさび部に天地方向に係合し、この部分にてシート１２が挟持される。このときのシート押え部材５の可動シート座８と連結板７のそれぞれの回動支点（蝶番６ａ，６ｂ）は略水平状態となり、シート押え部材５は固定シート座３とシート押え部材８とからなるシート固定装置２によるトグル作用にて上記シート挟持状態が保持される（図５）。の後、吸着保持具１３を上昇すると共に地側へ移動する。
【００２６】
（第４工程）
シート１２の天側端が天側のシート固定装置２にて固定された状態で、シート張設治具Ａの地側で張設ローラ１４に設定荷重Ｗを掛け、シート１２の全幅にわたり均等な張力を天地方向に付与する（図６）。
【００２７】
（第５工程）
上記のように所定の張力が作用状態のシート１２の地側で、かつ地側のシート固定装置２の固定シート座３の上面にてシート押え板１５にて押さえ、これと共に、これより地側にてシート１２を吸着保持具１３にてシート１２に張力が作用した状態で保持し、このシート押え板１５と吸着保持具１３との間でシート１２の全幅に亘りカッタ１６を走らせてシート１２をカットする（図６）。
【００２８】
（第６工程）
カッタ１６にてカットしたことによりシート１２の天側となった部分を吸着保持具１３にて保持した状態で連続側のシート１２を地側へ後退させる。
【００２９】
（第７工程）
地側のシート固定装置２のシート押え部材５を突き上げ部材１１の突き上げにより上方へ回動してシート１２のシート押え板１５より地側に出ている部分の上側に位置させる（図７）。
【００３０】
ついで、上記第５工程と同様にしてシート押え部材５を下方へ回動してこれの可動シート座８の先端をシート１２の上側から固定シート座３の先端のくさび部に係合することによりシート１２の地側端部を地側のシート固定装置２に固定する。
【００３１】
このときにおいて、シート１２の地側が地側のシート固定装置２にて固定される際に、可動シート座８が固定シート座３のくさび部に折り曲げながら入り込む動作によってシート１２が地側に引っ張られながら固定され、シート１２は弛むことなくシート張設治具に張設される。
【００３２】
この第７工程の終了後のシート張設治具Ａの地側へ後述した連続状のシート１２は、これの天側先端部分を天側へ挟持分だけ残した部分を吸着保持具１３にて吸着保持された状態となる（図８）。
【００３３】
上記のようにしてシート張設治具Ａに張設されたシート１２は、この状態でこれの表面に各種の加工が施される。
【００３４】
図９、図１０はシート固定装置２のシート押え部材５の他例を示すもので、これの連結板７の第１蝶番６ｂによる回動支点が第２蝶番６ａによる回動支点より低くなっていて、連結板７の上面を、一端を枠部材１ａ，１ｂに固着した板ばね１７にて常時下方へ付勢するようになっている。
【００３５】
この実施例によれば、固定状態の可動シート座８は連結板７を介して板ばね１７にて常時下方へ付勢されることになり、これの先端が固定シート座から不用意にはずれることがなくなり、安定してシート１２を固定できる。このとき、板ばね１７の先端は可動シート座８の基部に、この可動シート座８を地側へ押すように当接される。
【００３６】
また、図１１、図１２は上記シート押え部材５のさらに他例を示すもので、枠部材１ａ，１ｂの凹段部４に、下動して先端が固定シート座３の先端部に係合した状態の可動シート座８の基部がＬ字状の一片にてばね付勢された状態で嵌合する固定ばね１８が固着されている。
【００３７】
この実施例によれば、固定状態の可動シート座８が固定ばね１８にばね付勢状態で固定され、上記の他例と同様に安定した状態でシート１２を固定することができる。
【００３８】
なお上記実施の形態では、シート１２の天地方向の両側をシート固定装置２，２にて固定するようにした例を示したが、方形の枠本体１の前後の枠部材１ｃ，１ｄにも上記したシート固定装置２，２を対向して設け、シート１２の前後方向両側をもシート固定装置２，２にて枠部材１ｃ、１ｄに固定するようにしてもよい。
【００３９】
上記した実施の形態では、シート固定装置２のシート押え部材５が、折り曲げ可能にした連結板７と可動シート座８にて構成され、この両者が折り曲げ状態から一直線状になるときのトグル作用にて固定シート座３に対して可動シート座８を枠部材１ａ，１ｂの上面に沿わせて平行移動するようにした例を示したが、これは可動シート座を連結板を介することなく、この可動シート座を枠部材に対して上下方向と枠部材に沿う方向に移動可能にし、かつ固定シート座側へ移動してシートを挟持した状態で保持可能にして枠部材に支持するようにしてもよい。
【００４０】
また、上記した実施の工程においては、連続状のシート１２の天側先端部を把持する手段に吸着保持具１３を用いた例を示したが、これには挟持機構を備えた装置にて機械的に把持するようにしてもよい。
【００４１】
また、第４工程において、天側端が天側のシート固定装置２にて固定されたシート１２に張力を与える手段としては、シート送りローラに逆転トルクを付与することによりシート１２に張力を付与するようにしてもよい。
【図面の簡単な説明】
【００４２】
【図１】本発明に係るシート張設装置の一例を示す平面図である。
【図２】要部を示す断面図である。
【図３】作用工程を示す断面図である。
【図４】作用工程を示す断面図である。
【図５】作用工程を示す断面図である。
【図６】作用工程を示す断面図である。
【図７】作用工程を示す断面図である。
【図８】作用工程を示す断面図である。
【図９】本発明の他例の要部で、シート押え部材が非挟持姿勢の状態を示す断面図である。
【図１０】図９に示した状態からシート押え部材が挟持姿勢の状態を示す断面図である。
【図１１】本発明の異なる他例の要部で、シート押え部材が非挟持姿勢の状態を示す断面図である。
【図１２】図１１に示した状態からシート押え部材が挟持姿勢になった状態を示す断面図である。
【符号の説明】
【００４３】
Ａ…シート張設装置、1…枠本体、１ａ，１ｂ，１ｃ，１ｄ…枠部材、２…シート固定装置、３…固定シート座、３ａ…斜面、４…凹段部、５…シート押え部材、６ａ，６ｂ…蝶番、７…連結板、８…可動シート座、８ａ…斜面、９…ストッパ、１０…穴、１１…突き上げ部材、１２…シート、ｌ３…吸着保持具、１４…張設ローラ、１５…シート押え板、１６…カッタ、１７…板ばね、１８…固定ばね。
【図１】
2006119535.tif 000003
【図２】
2006119535.tif 000004
【図３】
2006119535.tif 000005
【図４】
2006119535.tif 000006
【図５】
2006119535.tif 000007
【図６】
2006119535.tif 000008
【図７】
2006119535.tif 000009
【図８】
2006119535.tif 000010
【図９】
2006119535.tif 000011
【図１０】
2006119535.tif 000012
【図１１】
2006119535.tif 000013
【図１２】
2006119535.tif 000014